(57)【要約】【課題】本発明の目的は、ショートサーキットを抑制できる空調室内機を提供することである。【解決手段】本体ケーシング１１と、シャッター３１１と、風量下限値設定部７０と、を備える。本体ケーシング１１には、下吸込口２１、上吸込口２２及び吹出口１９が設けられている。シャッター３１１は下吸込口２１を開閉する。風量下限値設定部７０は吹出口１９から吹き出される風量の風量下限値を設定する。また、風量下限値設定部７０は、少なくとも所定時において、下吸込口２１のシャッター３１１が開状態の場合における風量下限値を、閉状態の場合における風量下限値より大きく設定する。【選択図】図３
2014092331.tif 000002
【特許請求の範囲】
【請求項１】
下吸込口（２１）、上吸込口（２２）及び吹出口（１９）が設けられている本体ケーシング（１１）と、
前記下吸込口を開閉するシャッター（３１１）と、
前記吹出口から吹き出される風量の風量下限値を設定する風量下限値設定部（７０）と、
を備え、
前記風量下限値設定部は、少なくとも所定時において、前記下吸込口のシャッターが開状態の場合における風量下限値を、閉状態の場合における風量下限値より大きく設定する、空調室内機（１０）。
【請求項２】
前記所定時とは、前記吹出口から吹き出される空気の上下風向が所定の角度よりも下向きの場合である、請求項１に記載の空調室内機。
【請求項３】
前記風量の設定として、風量自動設定又はユーザが風量を指定する風量ユーザ設定を受け付ける風量設定受付部（７２）をさらに備え、
前記所定時とは、前記風量設定受付部が前記風量自動設定を受け付けている場合である、請求項１に記載の空調室内機。
【請求項４】
前記下吸込口のシャッターの動きを制御するシャッター開閉制御部（７３）をさらに備え、
前記風量設定受付部が受け付けた前記風量ユーザ設定に基づいて前記吹出口の風量が所定値以下に設定されている場合には、前記シャッター開閉制御部は前記下吸込口のシャッターを閉じる、請求項２に記載の空調室内機。
【発明の詳細な説明】
【技術分野】
【０００１】
本発明は、空調室内機に関する。
【背景技術】
【０００２】
特許文献１（特開２００１−１１６３４６号公報）には、本体の前面上部及び上面の上吸込口と、本体の底面の下吸込口と、本体の前面下部の吹出口と、を有している空調室内機が開示されている。上吸込口にはフラップが、下吸込口には開閉板が、吹出口にはフラップが、それぞれ回動自在に取り付けられている。空調室内機の稼働時には、上吸込口のフラップ及び下吸込口の開閉板が開かれ、上吸込口及び下吸込口から空気が取り込まれる。取り込まれた空気は熱交換機により熱交換された後、吹出流路を介してフラップが開かれた吹出口から吹き出される。
【発明の概要】
【発明が解決しようとする課題】
【０００３】
特許文献１の下吸込口の開閉板は空調室内機の稼働時には開かれているが、吹出口から吹き出される風量が少なくなると、吹出口から吹き出された空気が直に下吸込口に吸い込まれる現象（いわゆるショートサーキット）が発生し得る。前述の特許文献１にはこのような問題を回避するための構成は開示されていない。
【０００４】
そこで、本発明の目的は、ショートサーキットを抑制できる空調室内機を提供することである。
【課題を解決するための手段】
【０００５】
本発明の第１観点に係る空調室内機は、本体ケーシングと、シャッターと、風量下限値設定部と、を備える。本体ケーシングには、下吸込口、上吸込口及び吹出口が設けられている。シャッターは下吸込口を開閉する。風量下限値設定部は吹出口から吹き出される風量の風量下限値を設定する。また、風量下限値設定部は、少なくとも所定時において、下吸込口のシャッターが開状態の場合における風量下限値を、閉状態の場合における風量下限値より大きく設定する。
【０００６】
これにより、吹出口から吹出された空気は所定の風量下限値以上の風量で吹き出され、下吸込口から遠ざかるように吹き出される。よって、吹出口から吹き出された空気が直に下吸込口に吸い込まれるショートサーキットを抑制できる。
【０００７】
本発明の第２観点に係る空調室内機は、第１観点に係る空調室内機において、所定時とは、吹出口から吹き出される空気の上下風向が所定の角度よりも下向きの場合である。
【０００８】
この場合、吹出口からの空気が下吸込口に吸い込まれやすい上下風向の場合には、風量下限値設定部は、下吸込口のシャッターが開状態の場合の風量下限値が閉状態よりも大きくなるように制御する。これにより、ショートサーキットを抑制することができる。
【０００９】
本発明の第３観点に係る空調室内機は、第１観点に係る空調室内機において、風量設定受付部をさらに備える。風量設定受付部は、風量の設定として、風量自動設定又はユーザが風量を指定する風量ユーザ設定を受け付ける。また、所定時とは、風量設定受付部が風量自動設定を受け付けている場合である。
【００１０】
これにより、ユーザによる風量指定を優先してユーザ満足度を維持しつつ、少なくとも風量自動設定の際にはショートサーキットを抑制することができる。
【００１１】
本発明の第４観点に係る空調室内機は、第２観点に係る空調室内機において、下吸込口のシャッターの動きを制御するシャッター開閉制御部をさらに備える。風量設定受付部が受け付けた風量ユーザ設定に基づいて吹出口の風量が所定値以下に設定されている場合には、シャッター開閉制御部は下吸込口のシャッターを閉じる。
【００１２】
風量ユーザ設定の場合、吹出口の風量が所定値以下であるとショートサーキットが生じ得るため、シャッター開閉制御部は下吸込口のシャッターを閉じる。これにより、風量自動設定の場合だけでなく、風量ユーザ設定の場合にもショートサーキットを抑制できる。
【発明の効果】
【００１３】
本発明の第１観点に係る空調室内機では、吹出口から吹き出された空気が直に下吸込口に吸い込まれるショートサーキットを抑制できる。
【００１４】
本発明の第２観点に係る空調室内機では、ショートサーキットを抑制することができる。
【００１５】
本発明の第３観点に係る空調室内機では、ユーザによる風量指定を優先してユーザ満足度を維持しつつ、少なくとも風量自動設定の際にはショートサーキットを抑制することができる。
【００１６】
本発明の第４観点に係る空調室内機では、風量自動設定の場合だけでなく、風量ユーザ設定の場合にもショートサーキットを抑制できる。
【図面の簡単な説明】
【００１７】
【図１】本発明の一実施形態に係る空調室内機の断面図である。
【図２】図１に記載の吹出口および下吸込口の拡大側面図である。
【図３】空調室内機の稼働時の様子を示す断面図である。
【図４】制御部の機能構成及びハードウェア構成を示すブロック図である。
【図５】操作部の一部を示す説明図である。
【図６】風量下限値設定における動作を示すフローチャートの一例である。
【図７】シャッターが開かれており、フラップの角度θｆがフラップ閾値角度θｔｈ以下である場合の様子を示す模式図である。
【図８】シャッターが開かれており、かつフラップの角度θｆがフラップ閾値角度θｔｈより大きい場合の様子を示す模式図である。
【図９】風量下限値設定における動作を示すフローチャートの一例である。
【図１０】シャッターがＡ位置、Ｂ位置、Ｃ位置及び閉位置にある場合を示す説明図である。
【発明を実施するための形態】
【００１８】
以下、図面を参照しながら、本発明の実施形態について説明する。なお、以下の実施形態は、本発明の具体例であって、本発明の技術的範囲を限定するものではない。
【００１９】
＜第１実施形態＞
（１）空調室内機１０の外観構成
（１−１）全体構成
図１は、本発明の一実施形態に係る空調室内機の断面図である。図１において、空調室内機１０は壁掛けタイプであり、本体ケーシング１１、室内熱交換器１３、室内ファン１５、底フレーム１７、フィルタ２５及び制御部４１が搭載されている。
【００２０】
本体ケーシング１１は、前面グリル１１ａ、前面パネル１１ｂ及び背面板１１ｃによって立体空間を形成し、その立体空間内に室内熱交換器１３、室内ファン１５、底フレーム１７、フィルタ２５、及び制御部４１が収まっている。前面パネル１１ｂは、前面グリル１１ａの前面を覆っており、上端が前面グリル１１ａに回動自在に支持され、ヒンジ式に動作することができる。また、本体ケーシング１１は、取付板１１ｄを介して壁に装着される。
【００２１】
室内熱交換器１３及び室内ファン１５は、底フレーム１７に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１５が位置する。室内ファン１５は、クロスフローファンであり、室内から取り込んだ空気を、室内熱交換器１３に当てて通過させた後、室内に吹き出す。
【００２２】
本体ケーシング１１の下面部には、吹出口１９が設けられている。吹出口１９には、吹出口１９から吹き出される空気を案内するフラップ２９１が回動自在に取り付けられている。フラップ２９１は、モータ（図示せず）によって駆動し、空気の吹出方向を変更するだけでなく、吹出口１９を開閉することもできる。吹出口１９は、吹出流路１８によって本体ケーシング１１の内部と繋がっており、吹出流路１８は吹出口１９から底フレーム１７に沿って形成されている。
【００２３】
さらに本体ケーシング１１の下面部には、下吸込口２１が吹出口１９よりも壁側に設けられている。下吸込口２１は、吸込流路１６によって本体ケーシング１１の内部と繋がっており、吸込流路１６は下吸込口２１から底フレーム１７に沿って形成されている。つまり、吸込流路１６は、底フレーム１７を挟んで吹出流路１８と隣接している。
【００２４】
下吸込口２１近傍の室内空気は、室内ファン１５の稼動によって下吸込口２１、吸込流路１６、フィルタ２５及び室内熱交換器１３を経て室内ファン１５に吸い込まれ、室内ファン１５から吹出流路１８を経て吹出口１９から吹き出される。
【００２５】
本体ケーシング１１の前面グリル１１ａと室内熱交換器１３との間にはフィルタ２５が配置されている。フィルタ２５は、室内熱交換器１３に向って流入してくる空気に含まれる塵埃を除去する。
【００２６】
前面グリル１１ａの前上部には、上吸込口２２が設けられている。上吸込口２２近傍の室内空気は、室内ファン１５の稼動によって上吸込口２２、フィルタ２５及び室内熱交換器１３を経て室内ファン１５に吸い込まれ、室内ファン１５から吹出流路１８を経て吹出口１９から吹き出される。
【００２７】
制御部４１は、本体ケーシング１１の前方部分に収まっており、室内ファン１５の回転数制御、吹出口１９の開度調節、下吸込口２１の開度調節、及び上吸込口２２の開度調節のための指令を行う。
【００２８】
（１−２）各部の構成
（ａ）吹出口１９及び吹出口開閉機構２９
図２は、図１に記載の吹出口および下吸込口の拡大側面図である。図２において、吹出口１９は、吹出口開閉機構２９によって開閉される。吹出口開閉機構２９は、フラップ２９１、支軸２９２およびフラップ駆動モータ２９３を含む。
【００２９】
フラップ２９１は、その断面形状が吹出口１９の外側に張り出すように湾曲する円弧状の板であり、幅方向の一端が底フレーム１７の下端に近接している。フラップ２９１は回動可能である。
【００３０】
支軸２９２は、フラップ２９１が回動するための軸であって、回動の仮想中心軸と交差する本体ケーシング１１の側壁に支持されている。
【００３１】
フラップ駆動モータ２９３は、ステッピングモータ若しくは減速ギア機構を内蔵したステッピングモータであって、その回転軸は支軸２９２に連結されている。フラップ２９１が吹出口１９に収まっている状態を原点位置としたとき、フラップ駆動モータ２９３は印加されるパルス数に応じて回転軸を回転させ、フラップ２９１が吹出口１９を開ける方向に回転する。
【００３２】
（ｂ）下吸込口２１
下吸込口２１は、底フレーム１７の下端と背面板１１ｃの下端との間に位置している。図１に示すように、下吸込口２１は、吸込流路１６の入口の一部であって、背面板１１ｃの下端から底フレーム１７の下端に向って所定幅を有する開口である。
【００３３】
吸込流路１６の入口のうち下吸込口２１と底フレーム１７の下端との間は、遮蔽板３３で覆われている。なぜなら、吸込流路１６と吹出流路１８とは底フレーム１７を隔てて隣接しており、吹き出し空気の一部が底フレーム１７の下端を撫でるように通過して吸込流路１６の入口へ進入する可能性があり、それを防止するためである。遮蔽板３３を配置することによって、吸込流路１６の実質的な入口を下吸込口２１まで遠ざけることができる。
【００３４】
（ｃ）下吸込口開閉機構３１
下吸込口２１には、下吸込口開閉機構３１が設置されている。下吸込口開閉機構３１は、シャッター３１１と、ヒンジ３１２、リンク３１３および駆動モータ３１４を含む。
【００３５】
シャッター３１１は、下吸込口２１に嵌り込んで下吸込口２１を塞ぐことができる大きさである。シャッター３１１は回動可能であり、その回動の仮想中心軸は底フレーム１７と遮蔽板３３とのコーナー近傍に位置する。
【００３６】
ヒンジ３１２は、シャッター３１１の回動する支点であって、回動の仮想中心軸と交差する本体ケーシング１１の壁に設けられている。ヒンジ３１２とシャッター３１１とはリンク３１３によって連結されている。
【００３７】
リンク３１３がシャッター３１１とともに回動するときに遮蔽板３３と干渉しないように、遮蔽板３３にはリンク３１３が通る軌道に沿ってスリットのような逃し部（図示せず）が形成されている。
【００３８】
駆動モータ３１４は、ステッピングモータ若しくは減速ギア機構を内蔵したステッピングモータであって、その回転軸はヒンジ３１２に連結されている。シャッター３１１が下吸込口２１に収まっている状態を原点位置としたとき、駆動モータ３１４は印加されるパルス数に応じて回転軸を回転させ、シャッター３１１が下吸込口２１を開ける方向に回転する。
【００３９】
（ｄ）上吸込口２２と上吸込口開閉機構３２
上吸込口２２は、図１に示すように前面グリル１１ａのうち前面パネル１１ｂの上端と対峙する位置から天面中央にわたって設けられている。また、上吸込口２２は、上吸込口開閉機構３２によって開閉される。上吸込口開閉機構３２はスライドシャッター３２２を含む。
【００４０】
（２）空調室内機１０のハードウェア構成及び機能構成
図３は、空調室内機の稼働時の様子を示す断面図である。通常、空調室内機１０の稼働時には図３に示すように下吸込口２１のシャッター３１１及び上吸込口２２のスライドシャッター３２２は開状態に制御されており、吹出口１９のフラップ２９１は開いている。これにより、空気は、下吸込口２１及び上吸込口２２をからフィルタ２５及び室内熱交換器１３を経て室内ファン１５に吸い込まれ、室内ファン１５から吹出流路１８を経て吹出口１９からフラップ２９１に沿って吹き出される。このように、空調室内機１０の稼働時には下吸込口２１のシャッター３１１は開状態に制御されているため、吹出口１９から吹き出される風量が少なくなると、吹出口１９から吹き出された空気が直に下吸込口２１に吸い込まれる現象（いわゆるショートサーキット）が発生し得る。
【００４１】
そこで、制御部４１は、下吸込口２１のシャッター３１１が開状態の場合には、吹出口１９から吹き出される空気の風量についてその風量下限値を制御する。
【００４２】
このような制御を行う制御部４１の機能構成及びハードウェア構成について図４を用いて以下に説明する。図４は制御部の機能構成及びハードウェア構成を示すブロック図である。
【００４３】
制御部４１は、ＣＰＵ（Central Processing Unit）６０、ＲＡＭ（Random Access Memory）６１及びＲＯＭ（Read Only Memory）６２を有している。
【００４４】
（２−１）ＲＯＭ６２
ＲＯＭ６２は、空調室内機１０の全体を制御するための制御プログラム９０を格納している。
【００４５】
（２−２）ＲＡＭ６１
ＲＡＭ６１は、風量下限値記憶部８０、風量記憶部８１、シャッター角度記憶部８２及びフラップ角度記憶部８３を含む。
【００４６】
風量下限値記憶部８０は、シャッター３１１が閉状態における風量下限値Ｗthcloseと、風量下限値設定部７０が設定した風量下限値Ｗthopenとを記憶している。風量記憶部８１は、風量設定受付部７２がユーザから受け付けた風量設定の種類と、風量制御部７１により制御された風量と、を記憶している。シャッター角度記憶部８２は、シャッター開閉制御部７３により制御されたシャッター角度θｓを記憶している。シャッター角度θｓは、シャッター３１１が閉状態（シャッター角度θｓ＝０°）の場合と比較した角度により定義される。フラップ角度記憶部８３は、フラップ開閉制御部７４により制御されたフラップ２９１のフラップ角度θｆを記憶している。フラップ角度θｆは、フラップ２９１と鉛直方向下方とのなす角度により定義される。
【００４７】
また、ＲＡＭ６１は、ＣＰＵ６０がＲＯＭ６２から読み出した制御プログラムを一時的に記憶し、ＣＰＵ６０が各種機能を実行するための作業領域を提供する。
【００４８】
（２−３）ＣＰＵ６０
ＣＰＵ６０は、風量下限値設定部７０、風量制御部７１、風量設定受付部７２、シャッター開閉制御部７３及びフラップ開閉制御部７４を含む。
【００４９】
（ａ）風量下限値設定部７０
風量下限値設定部７０は、吹出口１９から吹き出される風量の風量下限値Ｗthopenを設定する。具体的には、風量下限値設定部７０は、風量記憶部８１を参照して風量設定受付部７２が風量自動設定を受け付けているか否か、及びシャッター角度記憶部８２を参照してシャッター３１１が開状態であるか閉状態であるかを判断する。風量下限値設定部７０は、風量自動設定の状態にあり、かつシャッター３１１が開状態にある場合には、風量下限値設定部７０は、シャッター３１１が閉状態の場合における風量下限値Ｗthcloseを風量下限値記憶部８０から読み出す。そして、風量下限値設定部７０は、シャッター３１１が開状態の場合における風量下限値Ｗthopenを、シャッター３１１が閉状態の場合における風量下限値Ｗthcloseよりも大きくなるように設定する。よって、吹出口１９から吹き出される空気は、後述の風量制御部７１の制御によって所定の風量下限値Ｗthopen以上の風量で吹き出され、下吸込口２１から遠ざかるように吹き出される。よって、吹出口１９から吹き出された空気が直に下吸込口２１に吸い込まれるショートサーキットを抑制できる。風量下限値設定部７０は、設定した風量下限値Ｗthopenを風量下限値記憶部８０に格納する。
【００５０】
また、上記では風量下限値設定部７０は、シャッター３１１が開状態での風量下限値Ｗthopenをシャッター３１１が閉状態での風量下限値Ｗthcloseよりも大きくなるように設定する。その他、風量下限値設定部７０は、シャッター３１１が開状態の場合における風量下限値Ｗthopenを、ショートサーキットが生じないような風量となるように設定してもよい。例えば、シャッター３１１が開状態の場合においてショートサーキットが生じ得る風量を実験的に検出しておき、風量下限値設定部７０は、実験的に検出された風量以上となるように風量下限値Ｗthopenを設定してもよい。
【００５１】
（ｂ）風量設定受付部７２
風量設定受付部７２は、吹出口１９から吹き出される風量の設定として、風量自動設定及びユーザが風量を指定する風量ユーザ設定を含む風量設定をユーザから受け付ける。例えば、ユーザは操作部１００を制御することにより所望の風量設定を入力する。図５は操作部の一部を示す説明図である。操作部１００には、例えば風量が自動に制御される風量自動設定ボタン１０１、ユーザが風量を指定する急風ボタン１０２、強風ボタン１０３、弱風ボタン１０４及び微風ボタン１０５が設けられている。風量は、微風、弱風、強風及び急風の順に大きくなるものとする。ユーザは所望のボタンを操作することで空調室内機１０に対して風量の設定を行う。風量設定受付部７２は、ユーザから受け付けた風量設定の種類を風量記憶部８１に格納する。
【００５２】
（ｃ）風量制御部７１
風量制御部７１は、風量設定受付部７２が受け付けた風量設定に基づいて吹出口１９から吹き出される風量を制御し、その風量を風量記憶部８１に格納する。例えば、風量制御部７１は、風量設定受付部７２が風量自動設定を受け付けた場合には、風量下限値設定部７０が設定した風量下限値Ｗthopen以上の風量となるように制御する。つまり、風量設定受付部７２が風量自動設定を受け付けている場合、ユーザは吹出口１９から任意の風量で空気を吹き出すことを許容している。その場合には、風量下限値設定部７０は、下吸込口２１のシャッター３１１が開状態の場合の風量下限値Ｗthopenが閉状態の場合の風量下限値Ｗthcloseよりも大きくなるように制御する。そして、風量制御部７１は、制御された風量下限値Ｗthopen以上の風量となるように制御する。これにより、吹出口１９から吹き出された空気が直に下吸込口２１に吸い込まれるショートサーキットを抑制できる。
【００５３】
また、風量制御部７１は、ユーザが風量を指定した場合には風量ユーザ設定に基づいて風量を制御する。具体的には、例えば、風量制御部７１は、微風ボタン１０５の操作により風量設定受付部７２が微風設定を受け付けた場合には、微風の風量となるように制御する。このように風量設定受付部７２が風量ユーザ設定を受け付けている場合には、ユーザが所望する風量で吹出口１９から空気を吹き出す。よって、ユーザによる風量指定を優先してユーザ満足度を維持しつつ、少なくとも風量自動設定の際にはショートサーキットを抑制することができる。
【００５４】
（ｄ）シャッター開閉制御部７３
シャッター開閉制御部７３は、空調室内機１０が稼働を開始すると、下吸込口２１が閉状態から開状態となるように下吸込口開閉機構３１を制御してシャッター３１１の動きを制御する。また、空調室内機１０の稼働が停止すると、シャッター開閉制御部７３はシャッター３１１の動きを制御して下吸込口２１を閉状態とする。
【００５５】
なお、シャッター開閉制御部７３は、風量設定受付部７２が風量設定として風量ユーザ設定を受け付けた場合において、風量が所定値Ｗα以下の場合にはシャッター３１１を閉状態となるように制御してもよい。つまり、風量設定受付部７２が風量ユーザ設定を受け付けている場合には、風量制御部７１はユーザが所望する風量で吹出口１９から空気を吹き出す。この場合、吹出口１９の風量が所定値Ｗα以下であるとショートサーキットが生じ得るため、シャッター開閉制御部７３は下吸込口２１のシャッター３１１を閉状態に制御する。
【００５６】
なお、シャッターを閉じる基準である所定値Ｗαは風量下限値Ｗthopen以下に含まれる。例えば、風量ユーザ設定として、前述の微風、弱風、強風及び急風の順に大きくなる風量が設けられている。ここで、弱風を所定値Ｗαとする。このとき、例えば、微風、弱風（所定値Ｗα）、風量下限値Ｗthopen、強風及び急風の順に風量が大きいとする。風量ユーザ設定として微風又は弱風（所定値Ｗα）が設定された場合には、風量は所定値Ｗα以下であるのでシャッター開閉制御部７３は下吸込口２１のシャッター３１１を閉状態に制御する。一方、風量ユーザ設定として強風又は急風が設定された場合には、風量は所定値Ｗαより大きいのでシャッター開閉制御部７３は下吸込口２１のシャッター３１１を開状態に制御する。以上のような制御により風量自動設定の場合だけでなく、風量ユーザ設定の場合にもショートサーキットを抑制できる。
【００５７】
（ｅ）フラップ開閉制御部７４
フラップ開閉制御部７４は、風向設定部（図示せず）において設定された風向に基づいて、吹出口開閉機構２９を制御してフラップ２９１の動きを制御する。
【００５８】
（３）動作
次に風量下限値設定における動作を図６を用いて説明する。図６は風量下限値設定における動作を示すフローチャートの一例である。
【００５９】
ステップＳ１０：風量下限値設定部７０は、風量記憶部８１を参照して風量設定受付部７２が風量自動設定を受け付けているか、あるいは、風量ユーザ設定を受け付けているかを判断する。風量下限値設定部７０は、風量自動設定の場合にはステップＳ１１を実行する。一方、風量ユーザ設定の場合にはステップＳ１３が実行される。
【００６０】
ステップＳ１１：風量下限値設定部７０は、シャッター角度記憶部８２を参照してシャッター３１１が開状態であるか閉状態であるかを判断する。現在のシャッター角度θｆが閉状態（シャッター角度θｓ＝０°）の場合よりも大きい場合には、風量下限値設定部７０はシャッター３１１が開状態であると判断する。風量下限値設定部７０は、シャッター３１１が開状態の場合にはステップＳ１２を実行する。一方、風量下限値設定部７０は、シャッター３１１が閉状態の場合には処理を終了する。
【００６１】
ステップＳ１２：風量下限値設定部７０は、風量自動設定の状態にあり、かつシャッター３１１が開状態にある場合には、シャッター３１１が開状態の場合における風量下限値Ｗthopenを、シャッター３１１が閉状態の場合における風量下限値Ｗthcloseよりも大きくなるように設定する。
【００６２】
ステップＳ１３：風量制御部７１は風量ユーザ設定に基づいて風量を制御する。
【００６３】
ステップＳ１４：シャッター開閉制御部７３は、風量ユーザ設定に基づく風量が所定値Ｗα以下であるか否かを判断する。シャッター開閉制御部７３は、風量ユーザ設定に基づく風量が所定値Ｗα以下の場合にはステップＳ１５を実行する。一方、シャッター開閉制御部７３は、風量ユーザ設定に基づく風量が所定値Ｗαより大きい場合には処理を終了する。
【００６４】
ステップＳ１５：シャッター開閉制御部７３は、風量ユーザ設定に基づく風量が所定値Ｗα以下であるので、ショートサーキットを抑制するために下吸込口２１のシャッター３１１を閉状態に制御する。
【００６５】
（４）特徴
（４−１）
吹出口１９から吹き出される風量が少なくなると、吹出口１９から吹き出された空気が直に下吸込口２１に吸い込まれるショートサーキットが発生し得る。
【００６６】
そこで、風量下限値設定部７０は、少なくとも所定時において、下吸込口２１のシャッター３１１が開状態の場合における風量下限値Ｗthopenを、閉状態の場合における風量下限値Ｗthcloseより大きく設定する。よって、吹出口１９から吹出された空気は所定の風量下限値Ｗthopen以上の風量で吹き出され、下吸込口２１から遠ざかるように吹き出される。よって、吹出口１９から吹き出された空気が直に下吸込口２１に吸い込まれるショートサーキットを抑制できる。
【００６７】
（４−２）
空調室内機１０は、風量設定受付部７２が風量ユーザ設定を受け付けている場合には、ユーザが所望する風量で吹出口１９から空気を吹き出す。風量設定受付部７２が風量自動設定を受け付けている場合、ユーザは吹出口１９から任意の風量で空気を吹き出すことを許容している。その場合には、風量下限値設定部７０は、ショートサーキットの抑制のために、下吸込口２１のシャッター３１１が開状態の場合の風量下限値Ｗthopenが閉状態の風量下限値Ｗthcloseよりも大きくなるように制御する。よって、ユーザによる風量指定を優先してユーザ満足度を維持しつつ、少なくとも風量自動設定の際にはショートサーキットを抑制することができる。
【００６８】
（４−３）
空調室内機１０は、風量設定受付部７２が風量ユーザ設定を受け付けている場合には、ユーザが所望する風量で吹出口１９から空気を吹き出す。この場合、吹出口１９の風量が所定値Ｗα以下であるとショートサーキットが生じ得るため、シャッター開閉制御部７３は下吸込口２１のシャッター３１１を閉じる。よって、風量自動設定の場合だけでなく、風量ユーザ設定の場合にもショートサーキットを抑制できる。
【００６９】
なお、シャッター３１１を閉じる基準である所定値Ｗαは風量下限値以下に含まれる。例えば、風量ユーザ設定として、微風、微風より風量が大きい弱風、弱風より風量が大きい強風、強風より風量が大きい急風があるとする。また、弱風を所定値Ｗαとしたとする。このとき、例えば、微風、弱風（所定値Ｗα）、風量下限値Ｗthopen、強風、急風の順に風量が大きくなるとする。風量ユーザ設定として微風及び弱風が設定された場合には、風量は所定値Ｗα以下であるのでシャッター開閉制御部７３は下吸込口２１のシャッター３１１を閉じる。一方、風量ユーザ設定として強風及び急風が設定された場合には、風量は所定値Ｗαより大きいのでシャッター開閉制御部７３は下吸込口２１のシャッター３１１を開く。
【００７０】
＜第２実施形態＞
（１）空調室内機１０の外観構成
第２実施形態に係る空調室内機１０の外観構成は第１実施形態と同様であるので説明を省略する。
【００７１】
（２）機能構成
第２実施形態では、第１実施形態とは異なり、吹出口１９から吹き出される空気の上下風向が所定の角度よりも下向きの場合に、下吸込口２１のシャッター３１１が開状態の場合における風量下限値Ｗthopenを制御する。その他の点においては第１実施形態と同様であるので、第１実施形態と異なる機能構成についてのみ以下に説明する。
【００７２】
（ａ）フラップ角度記憶部８３
フラップ角度記憶部８３は、フラップ開閉制御部７４により制御されたフラップ２９１のフラップ角度θｆの他に、さらにフラップ閾値角度θｔｈを記憶している。フラップ閾値角度θｔｈは、例えばフラップ２９１と鉛直方向下方とのなす角度により定義され、例えば約３０°であり得る。言い換えれば、例えば水平方向を基準として上下風向が約６０°の場合である。
【００７３】
（ｂ）風量下限値設定部７０
風量下限値設定部７０は、フラップ角度記憶部８３を参照してフラップ角度θｆ及び所定のフラップ閾値角度θｔｈを読み出す。風量下限値設定部７０は、現在のフラップ角度θｆとフラップ閾値角度θｔｈとの比較結果に基づいて吹出口１９から吹き出される風量の風量下限値Ｗthopenを設定する。図７及び図８を用いてこのような風量下限値Ｗthopenの設定について具体的に説明する。図７は、シャッターが開かれており、フラップの角度θｆがフラップ閾値角度θｔｈ以下である場合の様子を示す模式図である。図８は、シャッターが開かれており、かつフラップの角度θｆがフラップ閾値角度θｔｈより大きい場合の様子を示す模式図である。
【００７４】
まず、風量下限値設定部７０は、風量記憶部８１を参照して風量設定受付部７２が風量自動設定を受け付けているか否か、及びシャッター角度記憶部８２を参照してシャッター３１１が開状態であるか閉状態であるかを判断する。また、風量下限値設定部７０は、フラップ角度記憶部８３を参照してフラップ角度θｆと所定のフラップ閾値角度θｔｈとを比較する。図７の場合、風量下限値設定部７０は、フラップ角度θｆがフラップ閾値角度θｔｈ以下と判断する。フラップ角度θｆがフラップ閾値角度θｔｈ以下の場合には、吹出口１９からの空気が下吸込口２１に吸い込まれショートサーキットが生じやすい。この場合、風量下限値設定部７０は、シャッター３１１が開状態の場合における風量下限値Ｗthopenを、シャッター３１１が閉状態の場合における風量下限値Ｗthcloseよりも大きくなるように設定する。よって、吹出口１９から吹き出される空気は、後述の風量制御部７１の制御によって所定の風量下限値Ｗthopen以上の風量で吹き出され、下吸込口２１から遠ざかるように吹き出される。よって、吹出口１９から吹き出された空気が直に下吸込口２１に吸い込まれるショートサーキットを抑制できる。なお、第１実施形態と同様に、風量下限値Ｗthopenは、実験的に求められたショートサーキットが発生しない風量以上に設定されてもよい。
【００７５】
一方、風量下限値設定部７０は、風量自動設定であり、シャッター３１１が開状態において、フラップ２９１が図８の場合には、フラップ角度θｆがフラップ閾値角度θｔｈより大きいと判断する。この場合、風量下限値設定部７０は、ショートサーキットの発生が無いと推定して風量下限値Ｗthopenを特に設定しない。
【００７６】
その他の点については風量下限値設定部７０の機能は第１実施形態と同様である。
【００７７】
（３）全体動作
次に風量下限値設定における全体動作を図９を用いて説明する。図９は風量下限値設定における全体動作を示すフローチャートの一例である。第２実施形態での動作はステップＳ１１ａが異なるのみでその他の点については第１実施形態と同様であるので簡単に以下に説明する。
【００７８】
ステップＳ１０、Ｓ１１：風量下限値設定部７０は、風量自動設定でありシャッター３１１が開状態である場合にはステップＳ１１ａを実行する。風量下限値設定部７０は、風量ユーザ設定の場合にはステップＳ１３を実行する。
【００７９】
ステップＳ１１ａ：風量下限値設定部７０は、フラップ角度記憶部８３を参照してフラップ角度θｆがフラップ閾値角度θｔｈ以下であるか否かを判断する。風量下限値設定部７０は、フラップ角度θｆがフラップ閾値角度θｔｈ以下の場合にはステップＳ１２を実行する。フラップ角度θｆがフラップ閾値角度θｔｈより大きい場合には処理を終了する。
【００８０】
ステップＳ１２：風量下限値設定部７０は、風量自動設定の状態にあり、シャッター３１１が開状態にある場合にあり、かつフラップ角度θｆがフラップ閾値角度θｔｈ以下の場合には、シャッター３１１が開状態の場合における風量下限値Ｗthopenを、シャッター３１１が閉状態の場合における風量下限値Ｗthcloseよりも大きくなるように設定する。
【００８１】
ステップＳ１３〜１５：風量制御部７１は風量ユーザ設定に基づいて風量を制御する。シャッター開閉制御部７３は、風量ユーザ設定に基づく風量が所定値Ｗα以下の場合にはショートサーキットを抑制を抑制するために下吸込口２１のシャッター３１１を閉状態に制御する。
【００８２】
（４）特徴
吹出口１９からの空気の上下風向が所定の角度よりも下向きである場合、吹出口１９から吹き出される空気は下吸込口２１に近づく方向に吹き出され、下吸込口２１に吸い込まれやすくなる。所定の角度とは、例えば水平方向を基準として上下風向が約６０°の場合である。吹出口１９からの空気が下吸込口２１に吸い込まれやすい上下風向の場合には、風量下限値設定部７０は、下吸込口２１のシャッター３１１が開状態の場合の風量下限値Ｗthopenが閉状態の風量下限値Ｗthcloseよりも大きくなるように制御する。これにより、ショートサーキットを抑制することができる。
【００８３】
＜その他の実施形態＞
（Ａ）変形例
上記実施形態では、風量下限値設定部７０は、下吸込口２１のシャッター３１１が開状態か閉状態のいずれであるかを判断して、風量下限値Ｗthopenを設定している。本変形例では、風量下限値設定部７０は、シャッター角度θｓの程度に応じて風量下限値Ｗthopenを設定してもよい。
【００８４】
図１０を用いて、風量下限値設定部７０によるシャッター角度θｓに応じた風量下限値Ｗthopenの設定について説明する。図１０は、シャッター３１１がＡ位置、Ｂ位置、Ｃ位置及び閉位置にある場合を示す説明図である。
【００８５】
シャッター３１１はＣ位置、Ｂ位置及びＡ位置の順に閉位置から遠ざかり、シャッター角度θｓは大きくなる。そしてシャッター３１１は閉位置から離れるほどフラップ２９１に近づく。そのため、シャッター３１１は閉位置から離れるほど、フラップ２９１に沿って吹き出される空気が下吸込口２１に吸い込まれやすくなる。そこで、風量下限値設定部７０は、シャッター３１１がＣ位置、Ｂ位置及びＡ位置にある順に風量下限値Ｗthopenが大きくなるように設定する（風量下限値Ｗthopen（Ｃ位置）＜風量下限値Ｗthopen（Ｂ位置）＜風量下限値Ｗthopen（Ａ位置））。これによりシャッター角度θｓに応じてきめ細やかに風量下限値Ｗthopenを設定しつつ、ショートサーキットを抑制できる。
【００８６】
また、風量下限値設定部７０は、シャッター角度θｓに加えてさらに、第２実施形態で示したようにフラップ角度θｆを考慮して風量下限値Ｗthopenを設定してもよい。例えば、シャッター３１１がＡ位置にあり、フラップ角度θｆがフラップ閾値角度θｔｈより大きい場合には、風量下限値設定部７０はシャッター角度θｓのみに基づいて風量下限値Ｗthopenを設定する。一方、シャッター３１１がＡ位置にあり、フラップ角度θｆがフラップ閾値角度θｔｈ以下の場合には、風量下限値設定部７０はシャッター角度θｓ及びフラップ角度θｆの両方に基づいて風量下限値Ｗthopenを設定する。
【００８７】
（Ｂ）変形例
上記実施形態では、シャッター３１１は仮想中心軸を中心とする回動式であるが、下吸込口２１を開閉可能であれば特にその形状は限定されず、例えばスライド式であってもよい。
【産業上の利用可能性】
【００８８】
以上の通り、本発明によればショートサーキットを抑制できる空量室内機を提供することができるので、壁掛け式の空調室内機に有用である。
【符号の説明】
【００８９】
１０      空調室内機
１１      本体ケーシング
１１ａ    前面グリル
１１ｂ    前面パネル
１３      室内熱交換器
１５      室内ファン
１６      吸込流路
１７      底フレーム
１８      吹出流路
１９      吹出口
２１      下吸込口
２２      上吸込口
２９      吹出口開閉機構
３１      下吸込口開閉機構
３２      上吸込口開閉機構
４１      制御部
７０      風量下限値設定部
７１      風量制御部
７２      風量設定受付部
７３      シャッター開閉制御部
７４      フラップ開閉制御部
８０      風量下限値記憶部
８１      風量記憶部
８２      シャッター角度記憶部
８３      フラップ角度記憶部
２９１      フラップ
３１１      シャッター
【先行技術文献】
【特許文献】
【００９０】
【特許文献１】特開２００１−１１６３４６号公報
【図１】
2014092331.tif 000003
【図２】
2014092331.tif 000004
【図３】
2014092331.tif 000005
【図４】
2014092331.tif 000006
【図５】
2014092331.tif 000007
【図６】
2014092331.tif 000008
【図７】
2014092331.tif 000009
【図８】
2014092331.tif 000010
【図９】
2014092331.tif 000011
【図１０】
2014092331.tif 000012